(57)【要約】１つの食器かごに配置されていて様々に異なった汚れを有する被洗浄物を、汚れの程度に応じて最適に洗浄できるようにするという課題を解決するために、本発明の構成では、食器洗浄機において被洗浄物を洗浄する装置であって、少なくとも１つの食器かご（１）が設けられている形式のものにおいて、少なくとも１つの食器かご（１）に、特定された領域のために少なくとも２つのスプレ装置（２ａ〜２ｄ）が配属されており、装置が、１つの食器かご（１）の少なくとも２つのスプレ装置（２ａ〜２ｄ）を洗浄中に個々に制御するための制御装置（４）を有しているようにした。
2005528129.tif 000002
【特許請求の範囲】
【請求項１】
食器洗浄機において被洗浄物を洗浄する装置であって、少なくとも１つの食器かご（１）が設けられている形式のものにおいて、少なくとも１つの食器かご（１）に、特定された領域のために少なくとも２つのスプレ装置（２ａ〜２ｄ）が配属されており、装置が、１つの食器かご（１）の少なくとも２つのスプレ装置（２ａ〜２ｄ）を洗浄中の個々に制御するための制御装置（４）を有していることを特徴とする、食器洗浄機において被洗浄物を洗浄する装置。
【請求項２】
スプレ装置（２ａ〜２ｄ）が食器かご（１）の下に配置されている、請求項１記載の装置。
【請求項３】
少なくとも２つのスプレ装置（２ａ〜２ｄ）がそれぞれ、回転するスプレアームから成っている、請求項２記載の装置。
【請求項４】
前記領域が象限として形成されている、請求項３記載の装置。
【請求項５】
個々に規定された各領域が、遮断手段（３）を介して他の領域に対して遮断可能に形成されている、請求項４記載の装置。
【請求項６】
遮断手段（３）が弁であり、制御装置（４）を介して制御される、請求項５記載の装置。
【請求項７】
スプレ装置（２ａ〜２ｄ）に４つの領域が形成されており、該領域がそれぞれ弁を介して制御可能であり、ひいては制御時に単に直接的に制御された領域だけに洗浄液を供給する、請求項６記載の装置。
【発明の詳細な説明】
【技術分野】
【０００１】
本発明は、食器洗浄機において被洗浄物を洗浄する装置であって、少なくとも１つの食器かごが設けられている形式のものに関する。
【０００２】
ドイツ連邦共和国特許公開第２７０２６４４号明細書に基づいて公知の、食器洗浄機用の食器かごは、設置領域に複数の管を備えており、これらの管にはそれぞれ貫通孔が設けられていて、その直ぐ上にある被洗浄物に洗浄液を供給することができるようになっている。洗浄プログラム中に洗浄液は、食器かごの供給管路として形成された管に形成されたすべての貫通孔を通って、流れる。狭い供給管によって、管の供給部から最も離されたポイントに到るまでに大きな圧力降下が生じる。この圧力降下に基づいて、洗浄出力もしくはスプレ出力が、食器かごのすべての領域において均一に形成されることは不可能であり、その結果供給部から最も離された領域においては、スプレ噴流は小さな速度で被洗浄物に噴射されることになる。
【０００３】
このような欠点は、供給部から大きく離れた食器かご領域に、特に汚れの頑固な被洗浄物が置かれていて、そして１つの食器かごにおいて様々に異なった洗浄品質が得られるような場合に、より一層重大である。
【０００４】
ゆえに本発明の課題は、１つの食器かごに配置されていて様々に異なった汚れを有している被洗浄物を、汚れの程度に応じて最適に洗浄することができる装置を提供することである。
【０００５】
この課題を解決するために本発明では、食器洗浄機において被洗浄物を洗浄する装置であって、少なくとも１つの食器かごが設けられている形式の装置が、請求項１の特徴部に記載のように構成されている。
【０００６】
すなわち本発明の構成では、食器洗浄機において被洗浄物を洗浄する装置であって、少なくとも１つの食器かごが設けられている形式のものにおいて、少なくとも１つの食器かごに、特定された領域のために少なくとも２つのスプレ装置が配属されており、装置が、１つの食器かごの少なくとも２つのスプレ装置を洗浄中に個々に制御するための制御装置を有している。
【０００７】
本発明の有利な構成では、スプレ装置が食器かごの下に配置されていて、それぞれ回転するスプレアームから成っている。
【０００８】
本発明の別の有利な構成では、少なくとも２つのスプレ装置が個々の領域、有利には象限に、分配可能に形成されており、個々の領域もしくは象限がそれぞれ、遮断手段を介して他の領域に対して遮断可能に形成されている。このように構成されていると、特定の領域を制御するために制御装置は、洗浄液を個々の領域に所望のように制御することができ、これによって、頑固な汚れの被洗浄物に、洗浄液を集中的に供給することができ、例えば単にグラスが配置されているような他の領域は、強力なスプレ処理をほとんど被らなくなる。
【０００９】
本発明の別の有利な構成では、スプレ装置が回転するスプレアームから形成されていて、規定された各領域に回転するもしくは回転可能な１つのスプレアームが配置されている。この場合有利には前記領域は象限のように形成されている。
【００１０】
選択可能な領域が遮断手段を介して互いに分離可能に形成されていると、有利である。
【００１１】
本発明の装置によって有利な形式で次のことが可能である。すなわち本発明による装置では、消費量、特に水及びエネルギの消費量をその都度の洗浄プログラムに対して最適化することができ、つまり水もしくはエネルギの消費量を平均的に節減することができる。
【００１２】
本発明による装置は、家庭用の食器洗浄機としても業務用の食器洗浄機としても使用することができ、このようなそれぞれの機器において上側かご及び下側かごに、かつ食器かごが１つしかない場合にはそれぞれ別個に、使用することが可能である。
【００１３】
次に図面を参照しながら本発明による装置の１実施例を説明する。
【００１４】
図１は、本発明による装置を概略的に示す平面図、
図２は、本発明による装置を概略的に示す側面図である。
【００１５】
図１に示された本発明による装置には、略示されているように、回転可能なスプレアームとして設計されたスプレ装置２ａ〜２ｄを備えた食器かご１が設けられており、この場合スプレアーム２ａ〜２ｄはそれぞれ別個に遮断手段３に接続されている。スプレアーム２ａ〜２ｄは食器かご１の下に配置されている。遮断手段３への供給領域は循環ポンプ６に向かってまとめられているので、１つの中央領域が形成されていて、この中央領域から遮断手段３を介して各スプレアーム２ａ〜２ｄへの供給が行われる。図示の実施例では遮断手段３は電磁弁として形成されている。そして領域は図示の実施例では四分区間もしくは象限（Quadranten）として形成されており、各象限の中心にはスプレアーム２ａ〜２ｄの回転中心が配置されている。規定された個々の領域はそれぞれ、遮断手段３を介して他の領域に対して遮断可能に形成されている。
【００１６】
遮断手段３は、食器洗浄機の制御装置（食器洗浄機に組み込まれているが図示せず）と接続されている制御装置４を介して制御され、この場合それぞれの制御リズムは、洗浄プログラムを制御する制御プログラムに記憶されている。各スプレアーム２ａ〜２ｄをそれぞれの選択に応じて制御するために、制御装置４は操作エレメント５と接続されており、この操作エレメント５はスプレ装置領域２ａ〜２ｄの略示パターンを有していて、有利には照明エレメントを介してその都度選択された領域を表示する。選択されて象限に区分されている図示の実施例では、つまりほぼ正方形に形成された食器かご１が等しい大きさの４つの面に区分されている図示の実施例では、操作エレメント５の操作パネルには４つのキーを備えたキーボードが設けられており、４つのキーは、より強力な洗浄プログラムのために設けられている各象限を反映している。
【００１７】
各象限又はゾーンの選択時に、使用者は、選択が手動で行われる場合には、相応なキーの操作によって、強力に洗浄すべき領域を選択することができる。有利にはこの方法は付加的に選択することができる、もしくは特定の洗浄プログラムにおいて行われる。
【００１８】
図２には本発明による装置が側面図で略示されているが、この場合食器かご１と２つのスプレアーム２ｃ，２ｄが示されている。上に述べた選択可能性に相応して、各スプレアーム２ａ〜２ｄは所望のように制御され、この場合各スプレアームは、確実に洗浄液を供給することができる制限された領域を有している。
【００１９】
各領域の選択の他に、スプレ噴流の強さを変化させることも可能であり、この場合には例えば循環ポンプモータの回転数制御調整が変化させられ、ひいてはスプレ噴流の流出速度をその都度の要求に相応に合わせることができる。領域選択を使用者が操作キーボードを介して手動で行う可能性の他に、本発明によればさらに、洗浄容器に設けられたセンサ例えばカメラによって、特に汚れの頑固な被洗浄物を認識することができ、次いで、洗浄プログラム中における強力な洗浄が望まれている各領域を、手動で又は自動的に選択することができる。
【００２０】
本発明による装置によって、汚れの頑固な被洗浄物に集中的に洗浄液を供給することができ、これに対して、例えば単にグラスが配置されているような他の領域は、あまり強力でないスプレ処理が行われ、これによって、食器かご１内に配置されていて様々に異なった汚れの被洗浄物を、汚れの程度に応じて最適に洗浄することができる装置が、得られる。
【００２１】
本発明による装置によってさらに、消費量、特に水及びエネルギの消費量をその都度の洗浄プログラムに対して最適化することができ、つまり水もしくはエネルギの消費量を平均的に節減することができる。
【図面の簡単な説明】
【００２２】
【図１】本発明による装置を概略的に示す平面図である。
【図２】本発明による装置を概略的に示す側面図である。
【図１】
2005528129.tif 000003
【図２】
2005528129.tif 000004
【国際調査報告】
2005528129.tif 000005
2005528129.tif 000006
2005528129.tif 000007
2005528129.tif 000008
2005528129.tif 000009
2005528129.tif 000010